(57)【特許請求の範囲】
【請求項１】
陰極線管に取付けられ、この陰極線管のネック部からスクリーン側に向かって漸次広がる形状を有する中空状のボビンと、
前記ボビン内側に、ネック部方向に向って形成された複数のリブと、
前記複数のリブ間に巻回された偏向コイルと、
前記ボビンのネック部方向の前端と後端の間に配設され、前記偏向コイルの分布を可変調整する巻線分布可変調整部材とを具備し、
前記巻線分布可変調整部材は、その中間部を変形可能とし、この中間部に補助片を挿入することにより変形するように形成し、前記偏向コイルを複数のリブ間に巻き回した状態で前記補助片を前記巻線分布可変調整部材に挿入することにより、ミスコンバージェンスの調整を行うことを特徴とする偏向ヨーク装置。
【請求項２】
陰極線管に取付けられ、この陰極線管のネック部からスクリーン側に向かって漸次広がる形状を有する中空状のボビンと、
前記ボビン内側に、ネック部方向に向って形成された複数のリブと、
前記複数のリブ間に巻回された偏向コイルと、
前記ボビンのネック部方向の前端と後端の間に配設され、前記偏向コイルの分布を可変調整する巻線分布可変調整部材とを具備し、
前記巻線分布可変調整部材は、その中間部を変形可能とし、この中間部に補助片を挿入することにより変形するように形成し、前記偏向コイルを複数のリブ間に巻き回す以前の状態で前記補助片を前記巻線分布可変調整部材に挿入し、偏向コイルを複数のリブ間に巻き回した後に前記補助片を調整して、ミスコンバージェンスの調整を行うことを特徴とする偏向ヨーク装置。
【発明の詳細な説明】
【０００１】
【発明の属する技術分野】
本発明は映像表示装置の陰極線管に用いられる偏向ヨーク装置に関する。
【０００２】
【従来の技術】
一般に、映像表示装置の陰極線管に用いられる偏向コイルは、大別すると、鞍形偏向コイルとトロイダル形偏向コイルの２種類があり、さらに、鞍形偏向コイルは、金型を用いて制作するタイプと、ボビンまたはコア（磁芯）に直接形成するタイプのに種類に分けられる。
【０００３】
近年、特に、端末ディスプレイ装置用や民生用大型テレビジョン受像機用の偏向ヨーク装置においては、高画質化を図るために、ボビンに直接巻線を施し、鞍形偏向コイルを形成するものが普及してきている。
【０００４】
図９はこのようなボビンに直接巻線を施し鞍形偏向コイルを形成する偏向ヨーク装置を示す斜視図である。
【０００５】
図９において、偏向ヨーク装置は、陰極線管のネック部からスクリーン側に向って漸次広がった中空状のボビン８１を有し、このボビン８１のスクリーン側の内面の第１の領域には、ネック部方向に向って複数のリブ８２，８３，８４，８５…を形成している。前記複数のリブ８２，８３，８４，８５…間には、それぞれ複数の溝部９１，９２，９３…が形成されている。これら複数の溝部９１，９２，９３…には、電線（偏向コイル）９０を所定の巻数だけ巻回すようにしている。これにより、電線９０は、上下の鞍形偏向コイルを構成している。
【０００６】
ボビン８１は、一般的に射出成形のプラスチック部品であり、コイルが巻回される溝部の位置及び形状は巻数との絡みで、偏向ヨーク性能（特に、コンバージェンス性能）が最良になるように設計される。
【０００７】
このようなタイプの偏向ヨーク装置は、金型巻線タイプに比べて性能のばらつきに対して優位にあるが、偏向ヨーク性能の微調整が難かしかった。
【０００８】
この理由は、インピーダンスを変更する必要が生じた時には、巻数を変更しなければならなず、さらに、巻線できる場所（溝部）が限られているためである。このため、偏向ヨーク性能を最良に調整するのが非常に困難になっていた。
【０００９】
また、このようなタイプの偏向ヨーク装置は、性能のばらつきも金型巻線タイプより小さいが、コア、その他のばらつき同等である。例えば、水平偏向磁界が設計値よりピンクッション方向にずれた時、図１０に示すようなミスコンバージェンスパターンとなる。
【００１０】
図１０は図９の偏向ヨーク装置のミスコンバージェンスパターンを示す説明図である。
【００１１】
図１０において、画面１００の表示映像は、Ｒ（赤），Ｇ（緑），Ｂ（青）の映像が左右にずれており、ミスコンバージェンスが発生している。
【００１２】
このようなミスコンバーゼンスが発生した場合は、例えば、ゴム系フェライト材等を用いて修正すれば部分的には改善するが、ミスコンバーゼンスとして残されることが多々あった。
【００１３】
【発明が解決しようとする課題】
この様な従来のボビンに直接巻線を施し鞍形偏向コイルを形成する偏向ヨーク装置では、インピーダンスを変更する必要が生じた時には、巻数を変更しなければならなず、さらに、巻線できる場所（溝部）が限られているためである。このため、偏向ヨーク性能を最良に調整するのが非常に困難になっていた。
【００１４】
そこで本発明は、ボビンに直接巻線を施し鞍形偏向コイルを形成するとともに、偏向ヨーク性能を容易に調整することができる偏向ヨーク装置の提供を目的とする。
【００１５】
【課題を解決するための手段】
本発明に係る偏向ヨーク装置は、陰極線管に取付けられ、この陰極線管のネック部からスクリーン側に向かって漸次広がる形状を有する中空状のボビンと、前記ボビン内側に、ネック部方向に向って形成された複数のリブと、前記複数のリブ間に巻回された偏向コイルと、前記ボビンのネック部方向の前端と後端の間に配設され、前記偏向コイルの分布を可変調整する巻線分布可変調整部材とを具備し、前記巻線分布可変調整部材は、その中間部を変形可能とし、この中間部に補助片を挿入することにより変形するように形成し、前記偏向コイルを複数のリブ間に巻き回した状態で前記補助片を前記巻線分布可変調整部材に挿入することにより、ミスコンバージェンスの調整を行うことを特徴とする。
【００１６】
【発明の実施の形態】
以下、発明の実施の形態を図面を参照して説明する。
【００１７】
図１は本発明に係る偏向ヨーク装置の第１の実施の形態を示す斜視図である。
【００１８】
図１において、本発明の実施の形態の偏向ヨーク装置は、陰極線管に取付けられ、この陰極線管のネック部からスクリーン側に向かって漸次広がる形状を有する中空状のボビン１１と、前記ボビン１１内側に、ネック部方向に向って形成された複数のリブ１２，１３，１４，１５…と、前記複数のリブ１２，１３，１４，１５…間に巻回された偏向コイル３０と、前記ボビン１１のネック部方向の前端と後端の間に配設され、前記偏向コイル３０の分布を可変調整する巻線分布可変調整部材４０とを具備したことを特徴とする。
【００１９】
さらに詳細に説明すると、偏向ヨーク装置は、陰極線管のネック部からスクリーン側に向って漸次広がった中空状のボビン１１を有し、このボビン１１のスクリーン側の内面の第１の領域には、ネック部方向に向って複数のリブ１２，１３，１４，１５…を形成している。前記複数のリブ１２，１３，１４，１５…間には、それぞれ複数の溝部２１，２２，２３…が形成されている。これに複数の溝部２１，２２，２３…には、形成されるに電線３１を所定の巻数だけ巻回すようにしている。これにより、電線３１は、鞍形の偏向コイル３０を構成している。偏向コイル３０は、上側の水平偏向コイル３２と下側の水平偏向コイル３３に分けられる。水平偏向コイル３２，３３は、それぞれ鞍形に巻回されている。この場合リブ１３は、上側の水平偏向コイル３１と下側の水平偏向コイル３２を分割する位置に配置しおり、他のリブより薄く形成されている。リブ１２，１４…は、スクリーン側に偏向コイル３０を係止するための隙間３４が形成されている。
【００２０】
図２は図１の偏向ヨーク装置の偏向コイル３０を巻き回す以前の状態を示す斜視図である。
【００２１】
図２において、ｘ軸はスクリーン側から見て水平方向右側を示し、ｙ軸は垂直上側を示し、ｚ軸はスクリーン方向を示している。ｘ軸とｚ軸による平面は、ボビン１１を上下に分割する平面になっいる。
【００２２】
ボビン１１内側のｚ軸方向中間部には、ｙ軸の＋方向と−方向に向けて溝部４１，４２が形成されており、この溝部に巻線分布可変調整部材４０がスライド可能な状態で挿入されている。
【００２３】
巻線分布可変調整部材４０は、変形されない状態でリブ１２，１３，１４及び溝部２１，２２に概略一致する形に形成されている。また、巻線分布可変調整部材４０は、中間部が伸びる構造になっている。
【００２４】
図３及び図４は図１の巻線分布可変調整部材４０を示す斜視図であり、図３は変形する以前の状態を示し、図４は変形した後の状態を示している。
【００２５】
図３において、巻線分布可変調整部材４０は、図２のボビン１１内側に沿って湾曲した湾曲片５１の一面に図２のリブ１２，１３，１４に概略一致する突起部５２，中間部５３，突起部５４を形成している。中間部５３は、上下の突起部５５，５６により構成されている。湾曲片５１の上下の突起部５５，５６が形成された部分の間には、肉薄の折り畳み部５７が形成されている。この折り畳み部５７を延ばすことにより、巻線分布可変調整部材４０は、図４に示すように、突起部５２，５５を上側に移動させ、突起部５４，５６を下側に移動させることができる。この場合、前記巻線分布可変調整部材４０は中間部５３が後述の補助片を挿入する挿入部となっており、補助片を挿入することにより変形するように形成されている。
【００２６】
図５乃至図７は図１の偏向ヨーク装置による巻線分布の調整動作を示す説明図であり、図５はミスコンバージェンスパターンを示し、図６は要部の正面側から見た断面を示し、図７は正面側から見た右上の部分を示している。
【００２７】
まず、巻線分布可変調整部材４０は、図２に示すように、接着力の弱い接着剤や機構的に方法によりボビン１１の溝部４１，４２に仮固定する。この後、図１に示すように偏向コイル３０を巻く。この状態でミスコンバージェンスのパターンが、図５に示すように、画面６０の左右側方において、右からＲ（赤），Ｇ  （緑），Ｂ（青）の映像の順となっている場合、図６及び図７に示すように、巻線分布可変調整部材４０の中間部５３に補助片５８の挿入部５９を挿入することにより変形させ、突起部５２，５５を上側（図６の矢印Ａ側）に移動させ、突起部５４，５６を下側（図６の矢印Ｂ側）に移動させる。これにより、偏向コイル３０も同じ方向に移動することになる。このコイル分布の変化は、バレル磁界方向の変化となり、上述のミスコンバージェンスを補正することができる。
【００２８】
この場合、ミスコンバージェンスの補正量は、この補助片５８の挿入部５９の幅を変えることによって調整できる。従って幅の異なる補助片を用意しておけば、補正量の調整が可能となる。このようにして、ミスコンバージェンスを補正された状態で、巻線分布可変調整部材４０と補助片５８を接着力の強い接着剤やねじ等の機構的に方法により溝部４１，４２に完全に固定する。
【００２９】
このような発明の実施の形態によれば、ボビンに直接巻線を施し鞍形偏向コイルを形成するとともに、偏向ヨーク性能を容易に調整することができるので、、安価で高品位な偏向ヨーク装置を提供できる。
【００３０】
図８は本発明に係る偏向ヨーク装置の第２の実施の形態を示す側面図である。
【００３１】
図８において、補助片７０は挿入方向に行くに沿って幅が狭くなるように、段部７１，７２…７５が形成されており、ミスコンバージェンスの補正量は、この補助片７０の巻線分布可変調整部材４０（図３参照）への挿入量によって調整することができる。
【００３２】
これにより図１の発明の実施の形態と同様の効果があるとともに、補助片が一種類でよいので、部品の在庫管理が用意になり、作業性を向上できる。
【００３３】
尚、図１乃至図８に示した発明の実施の形態では、前記巻線分布可変調整部材を、その中間部に補助片を挿入することにより変形するように形成し、前記偏向コイルを複数のリブ間に巻き回した状態で前記補助片を前記巻線分布可変調整部材に挿入することにより、ミスコンバージェンスの調整を行うようにしたが、前記偏向コイルを複数のリブ間に巻き回す以前の状態で前記補助片を前記巻線分布可変調整部材に挿入し、偏向コイルを複数のリブ間に巻き回した後に前記補助片を調整して、ミスコンバージェンスの調整を行うようにしてもよい。
【００３４】
【発明の効果】
以上説明したように本発明によれば、ボビンに直接巻線を施し鞍形偏向コイルを形成するとともに、偏向ヨーク性能を容易に調整することができ、安価で高品位な偏向ヨーク装置を提供できる。
【図面の簡単な説明】
【図１】本発明に係る偏向ヨーク装置の実施の形態を示す斜視図。
【図２】図１の偏向ヨーク装置の偏向コイルを巻き回す以前の状態を示す斜視図。
【図３】図１の巻線分布可変調整部材の変形する以前の状態をを示す斜視図。
【図４】図１の巻線分布可変調整部材の変形した後の状態をを示す斜視図。
【図５】図１の偏向ヨーク装置による巻線分布の調整動作を示す第１の説明図。
【図６】図１の偏向ヨーク装置による巻線分布の調整動作を示す第２の説明図。
【図７】図１の偏向ヨーク装置による巻線分布の調整動作を示す第３の説明図。
【図８】本発明に係る偏向ヨーク装置の第２の実施の形態を示す側面図。
【図９】従来の偏向ヨーク装置を示す斜視図。
【図１０】図９の偏向ヨーク装置のミスコンバージェンスパターンを示す説明図。
【符号の説明】
１１    ボビン
１２，１３，１４…    リブ
３０    偏向コイル
４０    巻線分布可変調整部材
代理人  弁理士      伊  藤      進
【図１】
0003735448.tif 000002
【図２】
0003735448.tif 000003
【図３】
0003735448.tif 000004
【図４】
0003735448.tif 000005
【図５】
0003735448.tif 000006
【図６】
0003735448.tif 000007
【図７】
0003735448.tif 000008
【図８】
0003735448.tif 000009
【図９】
0003735448.tif 000010
【図１０】
0003735448.tif 000011